(57)【要約】【課題】  階段編成でＥＰＧ出力に合わせて準備していた放送枠量を軽減し、準備放送枠を作成する作業を軽減する。【解決手段】  データサーバ１２Ａにて、放送進行データに事前にＥＰＧ出力要求イベントを設定し、それに該当するＥＰＧ出力用タイムテーブルを別に準備しておく。プロセスコントローラ１２Ｂには、ＥＰＧ出力要求イベント通知処理機能Ｂ１５を追加し、ＥＰＧ出力要求イベントを認識したらデータサーバ１２Ａへ出力要求イベントの内容を通知する。データサーバ１２Ａでは、プロセスコントローラ１２Ｂから出力要求イベントを受け取ると、そのイベントに該当するタイムテーブルを読み出し、このタイムテーブルを元にＳＩ／ＥＰＧサーバ用のプレイリストを再作成し、ＳＩ／ＥＰＧサーバ１２Ｄへ送出する。ＳＩ／ＥＰＧサーバ１２Ｄでは、再作成されたプレイリストを受け取り、プレイリストに対応するＥＰＧを作成する。【選択図】      図４
2006279594.tif 000002
【特許請求の範囲】
【請求項１】
放送の編成情報である放送進行データからプレイリストを作成し、このプレイリストに基づいて番組の開始時刻及び終了時刻を示す放送枠を作成し、この放送枠から電子番組ガイドを作成する編成管理システムにおいて、
前記放送進行データに、延長時間の異なる複数の編成ルートを有する階段編成が用意されるとき、前記編成ルートそれぞれに対応して電子番組ガイド出力を要求するためのイベントを設定するイベント設定手段と、
前記編成ルートそれぞれのイベントに対応して用意される電子番組ガイド出力用のタイムテーブルを格納するタイムテーブル格納手段と、
前記階段編成の実施に際して、その実施終了の指示があるまで前記イベントの発行を判断するイベント発行判断手段と、
前記イベント発行判断手段でイベントの発行が確認される毎に、前記タイムテーブル格納手段から該当するタイムテーブルを読み出し、前記プレイリストを再作成して前記放送枠を補正する放送枠補正手段とを具備することを特徴とする編成管理システム。
【請求項２】
前記階段放送がレギュラー編成とは別に用意されたものであるとき、
前記イベント設定手段で前記レギュラー編成から前記階段編成に切り替える時点の初期イベントを設定し、
前記タイムテーブル格納手段に前記初期イベントに対して前記複数の編成ルートのうち最大延長時間のルートに相当するタイムテーブルを格納し、
前記イベント発行判断手段で前記初期イベントの発行が確認されたとき、前記放送枠補正手段にて、前記初期イベントの発行時には前記最大延長時間のルートに相当するタイムテーブルで前記放送枠を補正することを特徴とする請求項１記載の編成管理システム。
【請求項３】
放送の編成情報である放送進行データからプレイリストを作成し、このプレイリストに基づいて番組の開始時刻及び終了時刻を示す放送枠を作成し、この放送枠から電子番組ガイドを作成する編成管理システムの電子番組ガイド作成方法において、
前記放送進行データに、延長時間の異なる複数の編成ルートを有する階段編成が用意されるとき、前記編成ルートそれぞれに対応して電子番組ガイド出力を要求するためのイベントを設定するイベント設定ステップと、
前記編成ルートそれぞれのイベントに対応する電子番組ガイド出力用のタイムテーブルを作成するタイムテーブル作成ステップと、
前記階段編成の実施に際して、その実施終了の指示があるまで前記イベントの発行を判断するイベント発行判断ステップと、
前記イベント発行判断ステップでイベントの発行が確認される毎に、前記タイムテーブル作成ステップで作成されるそのイベントに対応するタイムテーブルに基づいて前記プレイリストを再作成して前記放送枠を補正する放送枠補正ステップとを具備することを特徴とする編成管理システムの電子番組ガイド作成方法。
【請求項４】
前記階段放送がレギュラー編成とは別に用意されたものであるとき、
前記イベント設定ステップで前記レギュラー編成から前記階段編成に切り替える時点の初期イベントを設定し、
前記タイムテーブル作成ステップで前記初期イベントに対して前記複数の編成ルートのうち最大延長時間のルートに相当するタイムテーブルを作成し、
前記イベント発行判断ステップで前記初期イベントの発行が確認されたとき、前記放送枠補正ステップにて、前記初期イベントの発行時には前記最大延長時間のルートに相当するタイムテーブルで前記放送枠を補正することを特徴とする請求項３記載の編成管理システムの電子番組ガイド作成方法。
【発明の詳細な説明】
【技術分野】
【０００１】
本発明は、放送進行データによって指定された編成内容を管理する編成管理システムに係り、特に放送進行データに基づいて作成される電子番組ガイド（以下、「ＥＰＧ」：Electric Program Guideという。）データを作成する編成管理システム及びＥＰＧ作成方法に関する。
【背景技術】
【０００２】
従来、放送番組送出のための編成管理システムは、予め放送運行データによって指定された編成内容を管理し、別途、放送番組の変更、時間延長、タイムシフト等の指示があった場合には、その指示に従って編成内容を変更する。ここで、野球中継のように延長可能な放送番組については、数年前までは、最大延長ルートに決定しておき、延長放送を終了するときに該当する編成ルートに変更することで放送を終了する運用を行っていた。ところが、近年になってＥＰＧ等のサービスが開始され、放送の種別によっては放送の編成ルートを正確に設定することが必要になってきており、もはや上記のような運用はできなくなってきている。
【０００３】
一方、現在のＥＰＧは、ＳＩ（Service Information：番組配列情報）／ＥＰＧサーバによって、放送枠の情報（開始−終了時刻）が作成されている。また、ＥＰＧは実際の放送に沿った情報以外は出力してはならないことが規定されているため、例えば、野球放送等で最大３０分延長が予定されていても、当該延長が確定するまでは従来の放送終了時刻をＥＰＧに出力する必要がある。そのため、延長対象のケースの分だけ放送時間を長くした放送枠を用意しておき、延長が確定するたびにその放送枠の情報に置き換えてＳＩ／ＥＰＧサーバへ出力する。このような編成は階段編成あるいはマルチ編成と呼ばれ、予め想定される編成ルートそれぞれのイベント情報を全て作成しておく必要があり、編成内容によっては準備放送枠が多大な容量になってしまう。したがって、準備放送枠を作成する作業を軽減することが重要課題である。
【０００４】
以上のように、従来のＥＰＧ作成において、階段編成がある場合には、放送準備作業に掛かる労力が増大すると共に、放送を行なう編成データも増大している。これは人件費増加やシステムリソースを圧迫する原因につながるため、早急な対応が要求されている。
【０００５】
尚、特許文献１に、放送準備時間の軽減を図る技術が開示されている。ここに示される例では、ＥＰＧ相対時間テーブルと、編成データ上に含まれるイベントに関係を持たせ、イベント消化（発行）により、乗り移り可能な延長ケース（ルート）を判断するようにしている。これにより、乗り移り先が確定するため、乗り移り先のケースでは、それより以前のイベントを準備する必要がなくなる。これまで、ケース毎に全てのイベントを準備し、乗り移りと同時にイベントの差し替えを行っていたときと比べて、乗り移り先では差分のイベントの準備で済むようになった分、編成準備時間を軽減することができる。
【０００６】
但し、この文献に示されるシステムでは、マルチリンクテーブルなる接続情報を作成し、全体的な放送枠のつながりを判断してＥＰＧを作成し送出するようにしている。すなわち、編成準備時間の軽減は図れるが、ＥＰＧの作成の面では、階段編成の際の放送準備作業の軽減は図れず、上述の問題は依然として残っている。
【０００７】
特に、ＥＰＧ準備の中の「編成の煩雑さ」に問題点がある。通常ナイターであれば編成フォーマットも決まっており、比較的煩雑さから免れるが、日本シリーズ（終了まで放送）や、地方差し替えナイター（東京では巨人戦、名古屋では中日戦、メインの放送は中日戦だが終了は東京に合わせる）など、複雑な編成を行う場合には、準備業務にも多大な労力がかかる。
【特許文献１】特開２００４−１２０１１４号公報
【発明の開示】
【発明が解決しようとする課題】
【０００８】
以上述べたように、従来の編成管理システムでは、ＥＰＧ作成において、階段編成がある場合に、編成が複雑になるに従って放送準備作業に掛かる労力が増大すると共に放送を行なう編成データも増大してしまう。
【０００９】
本発明は上記の問題を解決するためになされたもので、階段編成があり、編成が複雑になる場合でも、ＥＰＧにおける準備放送枠の作成作業を軽減することができ、これによって放送準備作業に掛かる労力を軽減すると共に編成データ量も低減することのできる編成管理システムとその電子番組ガイド作成方法を提供することを目的とする。
【課題を解決するための手段】
【００１０】
上記問題を解決するために、本発明に係る編成管理システムは、放送の編成情報である放送進行データからプレイリストを作成し、このプレイリストに基づいて番組の開始時刻及び終了時刻を示す放送枠を作成し、この放送枠から電子番組ガイドを作成するシステムであって、前記放送進行データに、延長時間の異なる複数の編成ルートを有する階段編成が用意されるとき、前記編成ルートそれぞれに対応して電子番組ガイド出力を要求するためのイベントを設定するイベント設定手段と、前記編成ルートそれぞれのイベントに対応して用意される電子番組ガイド出力用のタイムテーブルを格納するタイムテーブル格納手段と、前記階段編成の実施に際して、その実施終了の指示があるまで前記イベントの発行を判断するイベント発行判断手段と、前記イベント発行判断手段でイベントの発行が確認される毎に前記タイムテーブル格納手段から該当するタイムテーブルを読み出し、前記プレイリストを再作成して前記放送枠を補正する放送枠補正手段とを具備して構成される。
【００１１】
また、本発明に係る編成管理しシステムの電子番組ガイド作成方法は、放送の編成情報である放送進行データからプレイリストを作成し、このプレイリストに基づいて番組の開始時刻及び終了時刻を示す放送枠を作成し、この放送枠から電子番組ガイドを作成する場合に、前記放送進行データに、延長時間の異なる複数の編成ルートを有する階段編成が用意されるとき、前記編成ルートそれぞれに対応して電子番組ガイド出力を要求するためのイベントを設定するイベント設定ステップと、前記編成ルートそれぞれのイベントに対応する電子番組ガイド出力用のタイムテーブルを作成するタイムテーブル作成ステップと、前記階段編成の実施に際して、その実施終了の指示があるまで前記イベントの発行を判断するイベント発行判断ステップと、前記イベント発行判断ステップでイベントの発行が確認される毎に、前記タイムテーブル作成ステップで作成されるそのイベントに対応するタイムテーブルで前記プレイリストを再作成して前記放送枠を補正する放送枠補正ステップとを具備して構成される。
【発明の効果】
【００１２】
本発明によれば、特に階段編成があり、編成が複雑になる場合でも、準備放送枠の作成作業を軽減することができ、これによって放送準備作業に掛かる労力を軽減すると共に編成データ量も低減することのできる編成管理システムと電子番組ガイド作成方法を提供することができる。
【発明を実施するための最良の形態】
【００１３】
以下、図面を参照して本発明の実施の形態を詳細に説明する。
【００１４】
図１は本発明が適用される放送局マスター設備の機器構成を示す概念図である。図１において、営業放送（以下、「営放」という。）システム１１は番組の編成情報である放送進行データを作成して編成管理システム１２に送信する。この編成管理システム１２は、データサーバ（ＤＳ）１２Ａ、プロセスコントローラ１２Ｂ、周辺機器群（通常、複数存在する）１２Ｃ、ＳＩ／ＥＰＧサーバ１２Ｄを備える。
【００１５】
上記データサーバ１２Ａは、営放システム１１から放送進行データを受信して内部のデータベース（ＤＢ）Ａ１へ保存し、１または複数のＤＳ操作端末Ａ２，Ａ３，…から変更指令、イベント情報等の入力操作に応じて放送進行データの書き換えが可能とされている。また、データサーバ１２Ａは、放送が開始される前に、プロセスコントローラ１２Ｂ並びに各種周辺機器（例えばＣＭバンク、ＡＦバンク、ＶＦバンク等）Ｃ１，Ｃ２，…へ、放送進行データをそれぞれの機器に合わせたデータ体系（以下、「プレイリスト」という。）に変換して送信しておく。さらに、データサーバ１２Ａは、放送進行データから放送枠の情報（開始−終了時刻）を含むプレイリストを作成してＳＩ／ＥＰＧサーバ１２Ｄに送信する。
【００１６】
上記プロセスコントローラ１２Ｂは、データサーバ１２Ａからのプレイリストに沿って周辺機器群１２Ｃの制御を実施し、これらの周辺機器を通じて、または直接、映像・音声出力設備（切替器ＳＷ等）１３（以下、単に「映像・音声出力設備１３」という。）の制御を実行する。また、上記ＳＩ／ＥＰＧサーバ１２Ｄは、放送進行データに基づくプレイリストを入力解析し、放送枠の情報からＥＰＧを作成してＥＰＧ出力設備１４に送る。
【００１７】
上記構成による編成管理システム１２において、既存の放送進行データに基づく処理の流れを図２に示す。図２において、データサーバ１２Ａでは、営放システム１１から送信された放送進行データを営放システムＩ／Ｆタスク（受信）Ａ１１で受け取り、進行データデータベースＡ１へ保存する。データサーバ１２Ａでは、進行データ管理機能Ａ１２により放送進行データからプレイリストを作成して放送日の管理を行っており、例えば、放送の数日前（ここは、放送局の運用や周辺機器の使用によって異なる）に外部機器Ｉ／Ｆタスク（送信）Ａ１３を通じて、プロセスコントローラ１２Ｂ、周辺機器群１２Ｃ並びにＳＩ／ＥＰＧサーバ１２Ｄに対してプレイリストを送信する。
【００１８】
プロセスコントローラ１２Ｂでは、データサーバＩ／Ｆタスク（受信）Ｂ１１でデータサーバ１２Ａからのプレイリストを受け取ってデータ制御機能Ｂ１２に入力する。このデータ制御機能Ｂ１２では、周辺機器Ｉ／Ｆタスク（送信）Ｂ１３を通じて、プレイリストに従って周辺機器群１２Ｃの制御を行なう。また、映像・音声制御機能Ｂ１４を通じて、プレイリスト中のイベントに従って映像・音声出力設備１３の制御を行なう。
【００１９】
周辺機器群１２Ｃでは、データサーバＩ／Ｆタスク（受信）Ｃ１１でデータサーバ１２Ａからのプレイリストを受け取るとともに、プロセスコントローラＩ／Ｆ（受信）Ｃ１２でプロセスコントローラ１２Ｂからの制御データを受け取り、映像・音声制御機能Ｃ１３にて、プレイリスト及び制御データに基づいて映像・音声出力設備１３の制御を行う。この結果が放送データとして出力される。
【００２０】
一方、ＳＩ／ＥＰＧサーバ１２Ｄでは、データサーバＩ／Ｆタスク（受信）Ｄ１１でデータサーバ１２Ａからプレイリストを受け取り、このプレイリストを元に情報処理機能Ｄ１２にてＥＰＧ情報を作成し、ＥＰＧ出力設備１４へ送出して映像・音声コンテンツの放送信号に多重する。
【００２１】
ここで、上記構成による階段編成時の既存の処理内容を、野球放送を例にとって説明する。
【００２２】
図３（ａ）〜（ｄ）は野球放送における階段編成時の編成ルートの移り変わりを示したものである。図３（ａ）は野球放送が確定した時の状態である（放送局によっては、レギュラー編成自体を野球にする場合もある）。図３（ｂ）は１０分間の延長が確定した状態である。この後、図３（ｃ）の２０分延長、図３（ｄ）の３０分延長と延長放送が確定するたびに、オペレータが編成ルートの変更処理を実施する。
【００２３】
前述したように、現在、ＥＰＧは放送枠の情報（開始−終了時刻）から作成されている。また、実際の放送に沿った情報しか出力してはならないため、野球放送等で最大３０分延長が予定されていても、確定するまでは従来の放送終了時刻を出力する必要がある。そのため、予め段階的に延長分だけ放送時間を長くした複数の放送枠を用意しておき、延長が確定するたびに該当する放送枠の情報に置き換えてＳＩ／ＥＰＧサーバ１２Ｄへ出力するようにしている。このように、従来方式による階段編成では、放送が考えられるルート情報を予め作成しておく必要があり、編成内容によっては準備放送枠が多大な量になってしまう。準備放送枠を作成する作業を軽減することは重要課題である。
【００２４】
そこで、本実施形態では、編成管理システム１２の放送進行データに基づく処理の流れを図４に示すように変更する。尚、図４において、図２と同一部分には同一符号を付して示す。
【００２５】
すなわち、本実施形態の編成管理システム１２では、データサーバ１２Ａ（あるいはその上位にある営放システム１１）にて、放送進行データに事前にＥＰＧ出力要求イベントを設定し、それに該当するＥＰＧ出力用タイムテーブル情報を別に準備してタイムテーブル格納部Ａ１４に格納しておく。
【００２６】
これに対し、プロセスコントローラ１２Ｂには、ＥＰＧ出力要求イベント通知処理機能Ｂ１５を追加し、ＥＰＧ出力要求イベントを認識した場合にデータサーバ１２Ａへ出力要求イベントの内容を通知する。
【００２７】
データサーバ１２Ａでは、プロセスコントローラＩ／Ｆタスク（受信）Ａ１５にてプロセスコントローラ１２ＢからＥＰＧ出力要求イベントの内容を受け取る。そして、プレイリスト作成機能Ａ１６により、そのイベント内容に該当する情報（ここでは、ＥＰＧ出力用タイムテーブル）をタイムテーブル格納部Ａ１４から読み出し、この情報を元にＳＩ／ＥＰＧサーバ用のプレイリストを再作成し、ＳＩ／ＥＰＧサーバＩ／Ｆタスク（送信）Ａ１７を通じて、再作成したプレイリストをＳＩ／ＥＰＧサーバ１２Ｄへ送出する。
【００２８】
ＳＩ／ＥＰＧサーバ１２Ｄでは、データサーバＩ／Ｆタスク（受信）Ｄ１１で再作成されたプレイリストを受け取り、情報処理部Ｄ１２にてプレイリストに対応するＥＰＧを作成する。
【００２９】
したがって、上記のような編成方式によれば、階段編成で電子番組ガイド出力に合わせて準備していた放送枠量を軽減することができる。また、準備放送枠を作成する作業が軽減できる。この結果、従来のように延長時間毎にルートの確定処理を行なう必要が無く、最終的に確定したルートを選択しても、正しく電子番組ガイドの出力が可能になるため、マルチ編成の確定作業が少なく、オペレータの作業量軽減にもつながるという効果が得られる。
【００３０】
（実施例）
上記構成による編成管理システムにおいて、以下に野球放送を実施例に上げて説明する。
【００３１】
図５は本実施例による野球放送の編成例として、レギュラー編成とマルチ編成との関係を示す図、図６は同実施例のＥＰＧ出力用タイムテーブルの例を示す図、図７は同実施例のＥＰＧ延長対象枠テーブルの例を示す図である。
【００３２】
通常の放送枠には放送時間が設定されており、その時刻を元にＥＰＧの出力情報を作成する。本実施例では、「野球放送」が決定される前は、レギュラー編成で構成された放送枠でＥＰＧが作成される。ここで、図５において、「ルート情報」とは、延長ケースへ遷移することが可能であるということを示す情報のことであり、「マルチ確定」とは、現在通るべきルート情報を決めることを意味している。放送する上で、編成情報は最終的に１本の道になる必要がある。
【００３３】
マルチ編成枠には放送枠時間を持つものと、延長時の差分イベントのみで放送枠時間を持たないものがある。図５の例では、「３０分延長」と「早終」の編成枠に放送時刻が設定されている。但し、「３０分延長」には「延長無し」の場合の放送時刻（定時終わり時間）を設定しておく。「延長無し」「１０分延長」「２０分延長」は放送枠時間を持たない。
【００３４】
放送準備として、データサーバ１２Ａの進行データ管理機能では、図６に示すように、マルチ区分（同一編成の階段編成を指す。ここでは野球放送のまとまりが同一マルチ区分になる。）、ＥＰＧ出力要求イベント名、ＥＰＧ考慮時間、加算放送枠、通知有無フラグ等の項目を有するＥＰＧ出力用のタイムテーブル格納部Ａ１４を用意しておき、ＥＰＧ出力要求イベントをプロセスコントローラ１２Ｂから受信したときに、そのイベントに対応する通知有無フラグを「有効」にする。
【００３５】
また、データサーバ１２Ａでは、図７に示すように、マルチ区分、放送枠名、放送開始時間、放送終了時間、ＥＰＧ出力有無等の項目を有するＥＰＧ延長対象枠テーブルをタイムテーブル格納部Ａ１４に用意しておき、ＥＰＧの延長処理を行う場合の元情報として使用する。タイムテーブルのＥＰＧ考慮時間は、本テーブルの終了時間に加算され、処理される。ＥＰＧ出力要求イベントがあったとき、同一マルチ区分の中で最大のＥＰＧ考慮時間を選択して対象となる加算放送枠に加算し、ＥＰＧ情報としてＳＩ／ＥＰＧサーバ１２Ｄに渡す。
【００３６】
放送対象の番組として「野球放送」が決定された時、マルチ編成へ接続する（既存のデータサーバ機能）。この時、最大延長となるマルチケースを選択する。この様子を図８（ａ）に示し、その視聴イメージを図８（ｂ）に示す。ここでは、野球放送が確定し、３０分延長（最大延長）を選択した状態を示している。但し、この時は３０分延長（延長無しの場合）の放送時刻を利用してＥＰＧ情報を作成する。
【００３７】
次に、野球放送時間が１０分延長で終了することが確定した場合には、オペレータは１０分延長のケースに接続して野球放送を終了させる。この様子を図９（ａ）に示し、その視聴イメージを図９（ｂ）に示す。このとき、既に＊０，＊１のＥＰＧ出力要求イベントを通過しているため、ＥＰＧ出力用タイムテーブルは図１０に示すように＊０，＊１の通知有無フラグが有効「１」になっている。データサーバ管理機能１２Ａでは、ＥＰＧ情報を作成するときにＥＰＧ考慮時間を加算する。そのため、野球の視聴イメージは、図９（ｂ）に示すように、１０分延長した状態の２１：１０で終了するようにＥＰＧ情報として出力される。この処理は、２０分延長の場合も同様である。
【００３８】
次に、野球放送時間が３０分延長で終了することが確定した場合には、オペレータは現在選択されている３０分延長枠のまま野球放送を終了させる。この様子を図１１（ａ）に示し、その視聴イメージを図１１（ｂ）に示す。このとき、既に＊１・＊２・＊３のＥＰＧ出力要求イベントを通過しているため、ＥＰＧ出力用タイムテーブルは図１２に示すように＊１・＊２・＊３の通知有無フラグが有効「１」になっている。データサーバ１２ＡでＥＰＧ情報を作成するときに、最大になるＥＰＧ考慮時間を加算する。そのため、野球の視聴イメージは、図１１（ｂ）に示すように、３０分延長した状態の２１：３０で終了するようにＥＰＧ情報として出力される。上記の場合は＊３がＥＰＧ考慮時間３０分と最大になるため、３０分が３０分延長枠に加算されることになる。
【００３９】
図１３は、データサーバ１２Ａにおいて、ＥＰＧ延長対象枠のＥＰＧ出力時間を求めるための処理の流れを示すフローチャートである。
【００４０】
まず、野球放送の実施が決定されたか判断し（ステップＳ１１）、決定されない場合にはレギュラー編成を放送する（ステップＳ１２）。野球放送の実施が決定された場合には、３０分延長の編成ケースを選択して放送する（ステップＳ１３）。このとき、イベント＊０は野球放送の実施が決定された時点で通過となる（ステップＳ１４）。以後、放送進行データで＊１，＊２，＊３のイベント発行を判断する（ステップＳ１５，Ｓ１６，Ｓ１７）。＊１イベント発行前では対象枠のＥＰＧを１９：００〜２１：００で出力し（ステップＳ１８）、＊１イベント発行後＊２イベント発行前には対象枠のＥＰＧを１９：００〜２１：１０で出力し（ステップＳ１９）、＊２イベント発行後＊３イベント発行前には対象枠のＥＰＧを１９：００〜２１：２０で出力し（ステップＳ２０）、＊３イベント発行後は対象枠のＥＰＧを１９：００〜２１：３０で出力する（ステップＳ２１）。
【００４１】
ＳＩ／ＥＰＧサーバ１２Ｄは、上記放送進行データから放送枠の情報（開始−終了時刻）を取得してＳＩ及びＥＰＧを作成する。ここで得られたＥＰＧはＥＰＧ出力設備１４に送られ、映像・音声コンテンツの送出データに多重される。
【００４２】
このように、上記実施例によれば、最大延長枠に放送するイベントを編成し、最大延長に満たない場合のみ差分のイベントを準備することで、延長ケース毎にイベントを準備する必要がなく、準備放送枠（放送イベント量）を軽減することができる。また、従来の方式に比べ、マルチ確定時に、オペレータが編成ルートの接続作業を行なう回数が減る。従来は延長時間が延びるたびにマルチの確定を行なう必要があったが、実施例では、マルチ編成への決定と最大延長にならない時のみ、マルチの確定を行うことなく別ケースへの接続を行なえばよい。
【００４３】
すなわち、従来では、ＥＰＧ出力のために、階段編成において、実放送時間にあった放送枠（放送イベント）を準備していたが、本発明ではＥＰＧ出力イベントを認識できる仕組みを持ったデータサーバ１２Ａならびにプロセスコントローラ１２Ｂにより、準備放送枠を減らし、放送準備作業量を軽減することにつながる。また、従来では、階段編成で延長が確定するたびにオペレータの編成ルートの変更処理が必要であったが、本発明では最大延長枠を最初に選択することにより、最終的に決定した延長ケースを選択するだけでよい。
【００４４】
以上の処理により、階段編成がある場合でも、ＥＰＧにおける放送枠がイベントの通過判断によって自動的に加算されるため、その放送枠作成作業を軽減することができ、これによって放送準備作業に掛かる労力を軽減するとともに編成データ量も低減することができる。
【００４５】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４６】
【図１】本発明が適用される放送局マスター設備の機器構成を示す概念図。
【図２】図１に示す編成管理システムにおいて、既存の放送進行データに基づく処理の流れを模式的に示すブロック図。
【図３】図１に示す編成管理システムにおいて、具体例として、野球放送における階段編成時の編成ルートの移り変わりを示す図。
【図４】図１に示す編成管理システムにおいて、本実施形態の放送進行データに基づく処理の流れを示すブロック図。
【図５】本発明の実施例による野球放送の編成例として、レギュラー編成とマルチ編成との関係を示す図。
【図６】上記実施例のＥＰＧ出力用タイムテーブルの例を示す図。
【図７】上記実施例のＥＰＧ延長対象枠テーブルの例を示す図。
【図８】上記実施例において、「野球放送」が決定されてマルチ編成へ接続する時、最大延長となるケースを選択する様子を示す図。
【図９】上記実施例において、野球放送時間が１０分延長で終了することが確定した場合に、マルチ編成へ接続する時、最大延長となるマルチケースを選択する様子を示す図。
【図１０】図９に示す１０分延長確定時のＥＰＧ出力用タイムテーブルの内容を示す図。
【図１１】上記実施例において、野球放送時間が３０分延長で終了することが確定した場合に、選択されている３０分延長枠のまま野球放送を終了させる様子を示す図。
【図１２】図１１に示す３０分延長確定時のＥＰＧ出力用タイムテーブルの内容を示す図。
【図１３】上記実施例において、ＥＰＧ延長対象枠のＥＰＧ出力時間を求める手順を示すフローチャート。
【符号の説明】
【００４７】
１１…営放システム、
１２…編成管理システム、
１２Ａ…データサーバ（ＤＳ）、
Ａ１…放送進行データデータベース（ＤＢ）、
Ａ２，Ａ３…ＤＳ操作端末、
Ａ１１…営放システムＩ／Ｆタスク（受信）、
Ａ１２…進行データ管理機能、
Ａ１３…外部機器Ｉ／Ｆタスク（送信）、
Ａ１４…タイムテーブル格納部、
Ａ１５…プロセスコントローラＩ／Ｆタスク（受信）、
Ａ１６…プレイリスト作成機能、
Ａ１７…ＳＩ／ＥＰＧサーバＩ／Ｆタスク（送信）、
１２Ｂ…プロセスコントローラ、
Ｂ１１…データサーバＩ／Ｆタスク（受信）、
Ｂ１２…データ制御機能、
Ｂ１３…周辺機器Ｉ／Ｆタスク（送信）、
Ｂ１４…映像・音声制御機能、
Ｂ１５…ＥＰＧ出力要求イベント通知処理機能、
１２Ｃ…周辺機器群（通常、複数存在する）、
Ｃ１１…データサーバＩ／Ｆタスク（受信）、
Ｃ１２…プロセスコントローラＩ／Ｆ（受信）、
Ｃ１３…映像・音声制御機能、
１２Ｄ…ＳＩ／ＥＰＧサーバ、
Ｄ１１…データサーバＩ／Ｆタスク（受信）、
Ｄ１２…情報処理機能、
１３…映像・音声出力設備（切替器ＳＷ等）、
１４…ＥＰＧ出力設備。
【図１】
2006279594.tif 000003
【図２】
2006279594.tif 000004
【図３】
2006279594.tif 000005
【図４】
2006279594.tif 000006
【図５】
2006279594.tif 000007
【図６】
2006279594.tif 000008
【図７】
2006279594.tif 000009
【図８】
2006279594.tif 000010
【図９】
2006279594.tif 000011
【図１０】
2006279594.tif 000012
【図１１】
2006279594.tif 000013
【図１２】
2006279594.tif 000014
【図１３】
2006279594.tif 000015